(57)【要約】【課題】外径の大きなスロットロッドに対して確実な切り込みが可能でかつ作業効率も良い。【解決手段】一対の切断刃２Ａ，２Ｂと、これら切断刃２Ａ，２Ｂを互いの刃部２１を対向させて、切断刃２Ａを固定状態で保持するとともに、切断刃２Ｂを切断刃２Ａに対して接近ないし離間する方向へ移動可能な状態で保持してこれらの間にスロットロッド４２を挿通する空間Ｓを形成する保持部材１と、当該保持部材１に形成されたネジ孔１４１に貫設され先端が切断刃２Ｂに結合されて回転操作に伴い軸方向へ前後動して切断刃２Ｂを移動させる操作シャフト３とを備えている。切断刃２Ａ，２Ｂの刃部２１は、凹陥する三角形状となっている。【選択図】　　　　図１
2004102107.tif 000002
【特許請求の範囲】
【請求項１】
一対の切断刃と、これら切断刃を互いの刃部を対向させて、一方の切断刃を固定状態で保持するとともに、他方の切断刃を前記一方の切断刃に対して接近ないし離間する方向へ移動可能な状態で保持してこれらの間にスロットロッドを挿通する空間を形成する保持部材と、当該保持部材に形成されたネジ孔に貫設され先端が前記他方の切断刃に結合されて回転操作に伴い軸方向へ前後動して前記他方の切断刃を移動させる操作シャフトとを具備する光ケーブルのスロットロッド切込み具。
【請求項２】
前記切断刃の刃部を凹陥する三角形状とした請求項１に記載の光ケーブルのスロットロッド切込み具。
【発明の詳細な説明】
【０００１】
【発明の属する技術分野】
本発明は、外周の溝条内に光芯線を収納するようにした光ケーブルのスロットロッドを除去して、当該スロットロッドの軸心に埋設されたテンションメンバを露出させる作業に使用するスロットロッド切込み具に関する。
【０００２】
【従来の技術】
光ケーブルはおよそ図６に示す構造となっている。すなわち図６において、光ケーブル４のスロットロッド４２は樹脂製で、外周には螺旋状に複数の溝条４２２が形成されており、これら溝条４２２内にそれぞれ複数の光芯線（図示略）が収納されている。スロットロッド４２の軸心には撚鋼線よりなるテンションメンバ４１が埋設されてケーブル全体の引っ張り強度が向上させられている。また、スロットロッド４２の外周はケーブル外被４３で覆われている。
【０００３】
光ケーブル４から光芯線を分岐する場合には、必要範囲の外被４３を取り除いてスロットロッド４２を露出させ、溝条４２２内の光芯線を取り出してエアシート６３（図７参照）を巻き付けて纏めておく。ここでエアシートとは、ポリエチレンフィルム等で成形された気泡入り緩衝材である。続いて外被４３を取り除いた部分のスロットロッド４２を必要長だけテンションメンバ４１と共に切り落とし、切り残されたスロットロッド４２の端部を一定長で除去してテンションメンバ４１を露出させる（図６）。
【０００４】
テンションメンバ４１を露出させた光ケーブル４の端部は図７に示すように、公知の芯線分岐具のケーブル把持金具６Ａ，６Ｂにより挟んで保持され、同時にテンションメンバ４１はケーブル把持金具６Ａ，６Ｂに突設されたテンションメンバ固定金具６１（一方のケーブル把持金具のもののみを図示）の筒部６１１内に挿入されてネジ固定される。左右のケーブル把持金具６Ａ，６Ｂは連結棒６２の両端に固定されて、エアシート６３で纏められた上記光芯線よりも短い一定間隔に保たれており、これにより光芯線は適当な弛みを生じている。この状態で光芯線のうちの必要なものを切断して分岐させる。
【０００５】
ところで、スロットロッド４２の端部を一定長で除去してテンションメンバ４１を露出させるのに、従来は、鋏のようなものでスロットロッド端部の所定位置をテンションメンバ４１の外周に至るまで切り込み、当該切り込み位置から端面までのスロットロッド４２部分をテンションメンバ４１の外周から引き抜き除去していた。
【０００６】
【発明が解決しようとする課題】
しかし、鋏によるスロットロッド４２の除去は、その外径が大きくなると鋏の開き角が大きくなって切り込みが困難になるとともに、全周を同時に切り込むことができないために作業効率が悪いという問題があった。また、エアシート６３で纏める際にこぼれて外部に露出してしまった光芯線が、開いた鋏の刃によって誤って切断されるおそれもあった。
【０００７】
そこで本発明はこのような課題を解決するもので、外径の大きなスロットロッドに対して確実な切り込みが可能でかつ作業効率も良く、光芯線を切断するおそれもない光ケーブルのスロットロッド切込み具を提供することを目的とする。
【０００８】
【課題を解決するための手段】
上記目的を達成するために、本第１発明では、一対の切断刃（２Ａ，２Ｂ）と、これら切断刃（２Ａ，２Ｂ）を互いの刃部（２１）を対向させて、一方の切断刃（２Ａ）を固定状態で保持するとともに、他方の切断刃（２Ｂ）を一方の切断刃（２Ａ）に対して接近ないし離間する方向へ移動可能な状態で保持してこれらの間にスロットロッド（４２）を挿通する空間（Ｓ）を形成する保持部材（１）と、当該保持部材（１）に形成されたネジ孔（１４１）に貫設され先端が他方の切断刃（２Ｂ）に結合されて回転操作に伴い軸方向へ前後動して他方の切断刃（２Ｂ）を移動させる操作シャフト（３）とを具備している。
【０００９】
本第１発明において、切断刃間に生じた空間内に外被を除去したケーブル端部のスロットロッドを挿入し、操作シャフトによって他方の切断刃を一方の切断刃へ向けて接近移動させると、この過程でスロットロッドは両切断刃の刃部の間に挟まれて切り込まれ、切断される。操作シャフトによって移動させられる切断刃と固定された切断刃とでスロットロッドを両側から挟んで切り込むことができるから、切り込みが確実に行われるとともに作業効率も良い。また、切断刃は互いの刃部を対向させて保持部材内に保持されており、これら切断刃間に生じた空間内にスロットロッドを挿入するようにしているから、エアシートからこぼれている光芯線が誤って切断されるおそれもない。
【００１０】
本第２発明では、上記切断刃（２Ａ，２Ｂ）の刃部（２１）を、凹陥する三角形状とする。本第２発明では切断刃の刃部を凹陥する三角形としたから、スロットロッドをその外径の大小に拘らず確実に位置決めして周方向の複数位置から同時に切り込むことができる。
【００１１】
なお、上記カッコ内の符号は、後述する実施形態に記載の具体的手段との対応関係を示すものである。
【００１２】
【発明の実施の形態】
図１にはスロットロッド切込み具の正面図を示し、図２にはその平面図を示す。スロットロッド切込み具は保持部材１を備えており、保持部材１は、上下位置を平行に延びる横枠１１，１２と、これら横枠１１，１２の両端を結合する縦枠１３，１４とからなる長方形の枠体である。保持部材１の枠内一端部には切断刃２Ａが固定されており、一方、枠内の他端部には、切断刃２Ｂが横枠１１，１２に沿って摺動可能に配設されている。すなわち、上下の横枠１１，１２の対向面には長手方向へ案内溝（図示略）が形成されて、これら案内溝内に切断刃２Ｂの上下縁が嵌装されている。
【００１３】
切断刃２Ａ，２Ｂは同形で、図３に示すように略長方形の板体の一端部中央に取付部２２が突出形成されるとともに、他端面は三角形状に凹陥した刃部２１となっている。切断刃２Ａ，２Ｂは互いに刃部２１を対向させて位置させられており、これらの間にスロットロッド４２を挿通する空間Ｓが形成されている。なお、各刃部２１の中央には、スロットロッド４２の軸心に埋設されたテンションメンバ４１の外径にほぼ等しい半円形の切欠き部２１１が形成されている。縦枠１４の上下方向中央には水平にネジ孔１４１が形成されており、ここに、操作シャフト３のネジ棒３１が貫通させてある。ネジ棒３１の先端はホルダ３３を介して切断刃２Ｂの後端に結合されており、またネジ棒３１の基端には円形ハンドル３２が装着されている。円形ハンドル３２によって操作シャフト３を正逆回転させると、ネジ棒３１は前後動し、これに応じて切断刃２Ｂが切断刃２Ａに対して接近ないし離間する方向へ移動させられる。
【００１４】
スロットロッド切込み具を使用する場合には、操作シャフト３を回転させて切断刃２Ａから離間するように切断刃２Ｂを移動させ、これら切断刃２Ａ，２Ｂ間に生じた空間Ｓ内に図１に示すように外被４３（図６）が除去されたケーブル端部のスロットロッド４２を挿入する。この後、操作シャフト３を逆転させて切断刃２Ｂを切断刃２Ａへ向けて移動させると、この過程でスロットロッド４２は両切断刃２Ａ，２Ｂの三角形状の刃部２１の間に挟まれて全周から切り込まれ、切断される。刃部２１には中央に切欠き部２１１が形成されているから、スロットロッド４２の軸心に埋設されているテンションメンバ４１は切断されずに残される。なお、切断刃２Ｂの移動を適当位置で止めるようにすれば、切欠き部２１１を形成する必要は必ずしもない。
【００１５】
このようなスロットロッド切込み具によれば、スロットロッド４２が大径のものであってもこれを両切断刃２Ａ，２Ｂの刃部２１で両側から挟んで全周をほぼ同時に切り込むことができるから、切り込みが確実に行われるとともに作業効率も良い。特に本実施形態では刃部２１を、凹陥する三角形としたからスロットロッド４２の外径の大小に拘らず確実に位置決めして切り込むことができる。また、切断刃２Ａ，２Ｂは互いの刃部２１を対向させて横枠１１，１２と縦枠１３，１４からなる保持部材１内に保持され、切断刃２Ａ，２Ｂ間に生じた空間Ｓ内にスロットロッド４２を挿入するようにしているから、エアシート６３（図７）からこぼれている光芯線が切断刃２Ａ，２Ｂによって誤って切断されるおそれはない。
【００１６】
スロットロッド４２が切断されたケーブル端部はスロットロッド切込み具から取り出される。続いて、切り込み位置から端面までのスロットロッド４２部分をテンションメンバ４１の外周から引き抜いて除去する必要があり、この場合は図４、図５に示す引き抜き工具５を使用すると良い。なお、図４は引き抜き工具５の正面図、図５はその側面図である。引き抜き工具５は正面視で長方形状をなし、基端部が平板状の把持部５１となるとともに、残る部分は側面視で、先端に向かって下り傾斜する斜面５２ａを形成した楔状の進入部５２となっている。進入部５２には中央に長手方向へ延びる一定幅の切欠き溝５３が形成されている。この切欠き溝５３の幅はテンションメンバ４１の外径よりも大きくしてある。なお、引き抜き工具５の適宜個所には軽量化のための貫通孔５４が形成されている。
【００１７】
引き抜き工具５を使用する場合にはその把持部５１を掴んで、図５の矢印で示すように進入部５２を、切り込みよって形成されたスロットロッド４２の隙Ｆ内に進入させる。これにより、切り込み位置から端面までのスロットロッド部分４２１が進入部５２の斜面５２ａに押されて矢印で示すようにテンションメンバ４１の外周から引き抜かれ除去されて、テンションメンバ４１が露出する。
【００１８】
【発明の効果】
以上のように、本発明の光ケーブルのスロットロッド切込み具によれば、外径の大きなスロットロッドに対して確実な切り込みが可能であるとともに、作業効率も向上する。
【図面の簡単な説明】
【図１】本発明の一実施形態を示すスロットロッド切込み具の正面図である。
【図２】スロットロッド切込み具の平面図である。
【図３】切断刃の平面図である。
【図４】引き抜き工具の正面図である。
【図５】引き抜き工具の側面図である。
【図６】光ケーブル端部の側面図である。
【図７】芯線分岐具の全体斜視図である。
【符号の説明】
１…保持部材、１４１…ネジ孔、２Ａ，２Ｂ…切断刃、２１…刃部、３…操作シャフト、４２…スロットロッド、Ｓ…空間。
【図１】
2004102107.tif 000003
【図２】
2004102107.tif 000004
【図３】
2004102107.tif 000005
【図４】
2004102107.tif 000006
【図５】
2004102107.tif 000007
【図６】
2004102107.tif 000008
【図７】
2004102107.tif 000009